(57)【要約】【課題】  噛みこみ不良を防止することが可能な引下線用コネクタを提供する。【解決手段】  引下線用コネクタ１は、ボルトにて離間距離が調節可能な導電性の一対の挟持片２ａ，２ｂと、この一対の挟持片２ａ，２ｂに対して、当該挟持片２ａ，２ｂの基端側から先端側への延設方向と略平行な軸を中心に回転自在に連結された把持部５と、を備えて構成されている。把持部５は、絶縁工具で挟持可能な平板部５１と、一対の挟持片２ａ，２ｂの基端部を収容する穿設孔５３とを有しており、穿設孔５３に一対の挟持片２ａ，２ｂの離間距離を相対的に狭めた状態で該一対の挟持片２ａ，２ｂの動きをロックするロック機構９が設けられている。【選択図】  図１
2017028926.tif 000002
【特許請求の範囲】
【請求項１】
ボルトにて離間距離が調節可能な導電性の一対の挟持片と、
この一対の挟持片に対して、該挟持片の基端側から先端側への延設方向と略平行な軸を中心に回転自在に連結された把持部と、を備え、
前記一対の挟持片は、高圧線を挟持可能に円弧状の溝を互いに対向する位置に形成して構成された高圧線挟持部と、前記高圧線挟持部と前記把持部との間で引下線を保持可能に形成された引下線保持部とを有し、
前記把持部は、絶縁工具で挟持可能な平板部と、前記一対の挟持片の基端部を収容する穿設孔とを有し、
前記穿設孔に前記一対の挟持片の離間距離を相対的に狭めた状態で該一対の挟持片の動きをロックするロック機構を設けたことを特徴とする引下線用コネクタ。
【請求項２】
前記ロック機構は、前記一対の挟持片の基端部を挟み込むように前記穿設孔に対向配置させた対をなす固定板と、前記一対の挟持片の基端部に形成され、前記対をなす固定板の間に配された対をなす固定部とを備え、
前記対をなす固定板の並設方向と前記対をなす挟持片の並設方向とが略等しい場合に、前記対をなす固定板により前記対をなす固定部の離間距離を規制し、
前記対をなす固定板の並設方向と前記対をなす挟持片の並設方向とが略直交する場合に、前記対をなす固定板による前記規制を解除することを特徴とする請求項１記載の引下線用コネクタ。
【請求項３】
前記対をなす固定部は、前記対をなす挟持片間を通る仮想面に対して対称となる錐台状に形成され、互いに当接させた状態で前記一対の挟持片の延設方向に対して直交する面で切断した断面が六角形に形成されることを特徴とする請求項２記載の引下線用コネクタ。
【請求項４】
前記一対の挟持片と前記把持部とは、前記一対の挟持片のいずれか一方と前記把持部とを自在継手により接続することで連結されていることを特徴とする請求項１乃至３のいずれかに記載の引下線用コネクタ。
【請求項５】
請求項１乃至４のいずれかに記載された引下線用コネクタの取付方法であって、
前記引下線保持部を介して引下線に取り付けると共に、
前記ボルトを緩めて前記穿設孔に前記一対の挟持片の離間距離に対する規制を解除し、前記ロック機構のロックを解除した状態で前記高圧線を高圧線挟持部に導入し、
前記把持部を回転させて前記穿設孔に前記一対の挟持片の離間距離を相対的に狭めて前記ロック機構をロックさせて前記高圧線を高圧線挟持部に仮止めし、
しかる後に、前記ボルトを締め込むことにより、前記高圧線を高圧線挟持部に固定することを有することを特徴とする引下線用コネクタの取付方法。
【発明の詳細な説明】
【技術分野】
【０００１】
本発明は、引下線を接続する引下線用コネクタに関し、特に、一対の挟持片の動きをロックするロック機構を備えた引下線用コネクタに関する。
【背景技術】
【０００２】
従来、高圧架線に引下線を取り付ける場合には、引下線コネクタを使用して行っている。
このような引下線用コネクタとしては、高圧線を挟持可能に、一対の挟持片と締付部材によって形成される挟持部と、この挟持部に、前記高圧線に対して平行に形成され、引下線の芯線が挿入される挿入孔と、前記一対の挟持片の少なくとも一方の下方に延設される平板状の把持部と、を備えたものが開示されている。
【先行技術文献】
【特許文献】
【０００３】
【特許文献１】特開２０１３−０４１７３２号公報
【発明の概要】
【発明が解決しようとする課題】
【０００４】
ここで、上述の従来の引下線コネクタを使用して作業した場合は、以下の手順となる。
初めに、絶縁ヤットコで引下線用コネクタを把持すると共に、ストレーリンクトングで高圧線を保持する。次に、高圧線に引下線用コネクタのバネ力により高圧線を仮留め（引下線用コネクタの挟持部に挟み込み）をする。最後に、絶縁ヤットコで引下線用コネクタの把持部を把持して、間接活線用工具（ラチェット）を使用してボルトを締めて取り付ける。
【０００５】
しかしながら、従来の引下線用コネクタには、以下のような問題点がある。
作業者は、絶縁ヤットコで引下線用コネクタを把持した上にストレーリンクトングで高圧線を保持しなければならないため、片手にこれらの工具を１本ずつ持たなければならず、疲労が蓄積される。
【０００６】
また、高圧線に引下線用コネクタを仮留めした場合でも、振動で外れることがあり作業をやりなおさなければならない。
このような、引下線用コネクタが脱落する問題は、ラチェットでボルトを締める際にも生じることがあり、充電部へのアプローチを繰り返すため危険作業が増える。
【０００７】
またボルトを締め付ける際には、絶縁ヤットコで引下線用コネクタの把持部を把持しておかなければならず、ボルトを締め付けるラチェットと、絶縁ヤットコとが、干渉することを避けるため作業が煩雑となる。
さらに、絶縁ヤットコの把持部の向きを作業工程のたびに変更しなければならず作業が煩雑になる。
【０００８】
一方、引下線用コネクタを取り付けた後には、引下線用コネクタ上部が見えないため噛み込み不良が確認しにくい。
このため、噛み込み不良が生じている場合には接触不良が発生し不具合が発生し、顧客に迷惑が掛かる。
また、引下線用コネクタにはカバーが装着されているため、噛み込み不良等の作業不良箇所を発見しにくい。
【０００９】
そこで、本発明は係る事情に鑑みてなされたものであり、容易な作業で高圧線への取り付けができ、噛みこみ不良等の作業不良を防止することが可能な引下線用コネクタを提供することを主たる課題としている。
【課題を解決するための手段】
【００１０】
上記課題を達成するために、本発明に係る引下線用コネクタは、ボルトにて離間距離が調節可能な導電性の一対の挟持片と、この一対の挟持片に対して、該挟持片の基端側から先端側への延設方向と略平行な軸を中心に回転自在に連結された把持部と、を備え、前記一対の挟持片は、高圧線を挟持可能に円弧状の溝を互いに対向する位置に形成して構成された高圧線挟持部と、前記高圧線挟持部と前記把持部との間で引下線を保持可能に形成された引下線保持部とを有し、前記把持部は、絶縁工具で挟持可能な平板部と、前記一対の挟持片の基端部を収容する穿設孔とを有し、前記穿設孔に前記一対の挟持片の離間距離を相対的に狭めた状態で該一対の挟持片の動きをロックするロック機構を設けたことを特徴としている。
【００１１】
穿設孔に、ロック機構を有することにより、高圧線に引下線用コネクタを仮留めしたときに、ロック機構をロックさせることにより、挟持片が離間距離を相対的に狭めた状態で固定されることになるため、より強固な高圧線の仮留めを実現することができる。このため、作業者は、ロック機構をロックさせるだけで確実に高圧線に引下線用コネクタを仮留めすることができる。
【００１２】
また、ロック機構は、一対の挟持片の基端部を挟み込むように穿設孔に対向配置させた対をなす固定板と、前記一対の挟持片の基端部に形成され、前記対をなす固定板の間に配された対をなす固定部とを備え、前記対をなす固定板の並設方向と前記対をなす挟持片の並設方向とが略等しい場合に、前記対をなす固定板により前記対をなす固定部の離間距離を規制し、前記対をなす固定板の並設方向と前記対をなす挟持片の並設方向とが略直交する場合に、前記対をなす固定板による前記規制を解除するようにしてもよい。
【００１３】
このようにロック機構を構成することで、把持部を回転させることにより、一対の挟持片の離間距離を規制、解除することができる。このため、高圧線の噛み込み不良がある状態ではロック機構を機能させることができないため、確実に噛み込み不良を防止することができる。
【００１４】
さらに、対をなす固定部は、対をなす挟持片間を通る仮想面に対して対称となる錐台状に形成され、互いに当接させた状態で前記一対の挟持片の延設方向に対して直交する面で切断した断面が六角形に形成されることされるようにしてもよい。
【００１５】
このように固定部を構成することで簡易な構成でロック機構を実現することができ、製造コスト等の削減を図ることができる。
【００１６】
さらにまた、一対の挟持片と把持部とは、前記一対の挟持片のいずれか一方と前記把持部とを自在継手により接続するようにしてもよい。
【００１７】
一対の挟持片のいずれか一方と、把持部とが、自在継手に接続されることにより、多方向からの作業が可能となる。このため、仮留めの際に様々な角度からアプローチすることができ、作業者の作業負担を減らすことができる。
【００１８】
上述した引下線用コネクタの取付方法であって、引下線保持部を介して引下線に取り付けると共に、ボルトを緩めて穿設孔に一対の挟持片の離間距離に対する規制を解除し、ロック機構のロックを解除した状態で高圧線を高圧線挟持部に導入し、把持部を回転させて前記穿設孔に前記一対の挟持片の離間距離を相対的に狭めて前記ロック機構をロックさせて前記高圧線を高圧線挟持部に仮止めし、しかる後に、前記ボルトを締め込むことにより、前記高圧線を高圧線挟持部に固定することを有することを特徴としている。
【００１９】
このような引下線用コネクタの取付方法によれば、引下線用コネクタを確実に仮留めすることができるため、作業の煩雑さを解消することができる。
【発明の効果】
【００２０】
以上述べたように、本発明に係る引下線用コネクタによれば、穿設孔は、ロック機構を有することにより、容易な作業で挟持片をより強固に仮留めをすることができ、高圧線の噛み込み不良を防止することができる。
【００２１】
また、強固に仮留めされているから絶縁ヤットコを用いなくてもラチェットによるボルトの締め付けを行えるため、間接活線用工具を持ち替えたり、絶縁ヤットコの向きを変更したりすることなく作業を行うことができ、作業の煩雑さが軽減し迅速かつ施工品質の向上を図ることができる。
【００２２】
さらに、高圧線の噛み込み不良を防止することができるから充電部のアプローチ回数を減らせるため、危険作業の減少を図ることができる。
【図面の簡単な説明】
【００２３】
【図１】図１は、本引下線用コネクタのロック機構を機能させた状態における全体構成を示すもので、（ａ）は、正面図であり、（ｂ）は、側面図である。
【図２】図２は、本引下線用コネクタのロック機構を解除した状態における全体構成を示すもので、（ａ）は、正面図であり、（ｂ）は、側面図である。
【図３】図３（ａ）は、図２（ａ）のＢ−Ｂ線拡大断面図であり、（ｂ）は、図１（ａ）のＡ−Ａ線拡大断面図である。（ｃ）は、図１（ａ）のＡ−Ａ線における挟持片の拡大断面斜視図である。
【図４】図４は、本引下線用コネクタの取り付け作業時における使用状態を示すものであり、（ａ）は、高圧線にアプローチする際の図であり、（ｂ）は、仮留め後の状態を示す図である。
【発明を実施するための形態】
【００２４】
以下、本発明に係る引下線用コネクタについて図面を参照しながら説明する。
図１乃至４において、引下線用コネクタ１は、ボルトにて離間距離が調節可能な導電性の一対の挟持片２ａ，２ｂと、この一対の挟持片２ａ，２ｂに対して、当該挟持片２ａ，２ｂの基端側から先端側への延設方向と略平行な軸を中心に回転自在に連結された把持部５と、を備えて構成されている。
【００２５】
一対の挟持片２ａ，２ｂは、高圧線６を挟持可能に円弧状の溝を互いに対向する位置に形成して構成された高圧線挟持部３と、高圧線挟持部３と把持部５との間で引下線を保持可能に形成された引下線保持部４とを有している。
【００２６】
高圧線挟持部３は、一対の挟持片２ａ，２ｂの上端部に、互いに対向する位置にそれぞれ形成された円弧状の高圧線挟持用凹部３ａ，３ｂと、一対の挟持片２ａ，２ｂの側面部に、両挟持片を貫通するように形成されたボルト孔（図示せず）と、このボルト孔と螺合するボルト３２と、このボルト３２の頭頂部に近接して配置される挟持片２ｂとの間に配置されるワッシャ３３と、により構成されている。
【００２７】
高圧線挟持用凹部３ａ，３ｂは、高圧線６の配線方向に沿って一端から他端まで両挟持片２ａ，２ｂを貫通して略円柱形状に形成されており、高圧線６に密着できるように高圧線６の直径に合わせてその径が形成されている。
【００２８】
また、一方の挟持片２ａの下端側には、対峙する他方の挟持片２ｂに向かって突出した突起部２１が形成され、他方の挟持片２ｂの下端側にこの突起部２１と係合する係合孔２２が形成されている。したがって、両挟持片２ａ，２ｂの離接時に突起部２１が係合孔２２に当接することで離間距離が制限されている。
【００２９】
引下線保持部４は、突起部２１と係合孔２２の下方に設けられ、一対の挟持片２ａ，２ｂの互いに対向する位置にそれぞれ形成された円弧状の引下線挟持用凹部４１ａ，４１ｂと、両挟持片２ａ，２ｂを互いに近接するように付勢されたバネ４２と、により構成されている。
【００３０】
引下線挟持用凹部４１ａ，４１ｂは、高圧線６の配線方向に沿って一端から他端まで両挟持片２ａ，２ｂを貫通して略円柱形状に形成されており、引下線の直径よりもやや小さくその径が形成されている。
【００３１】
バネ４２は、リング状のバネであり、両挟持片２ａ，２ｂの高圧線６の配線方向の両端にそれぞれ１つずつ設けられ、先端部が一方の挟持片２ａの側面に形成された係止凹部２３に係止され、基端部が他方の挟持片２ｂの側面に形成された係止凹部２３に係止されており、先端部と基端部の中間の中間部は、両挟持片２ａ，２ｂに形成された挿通孔２４ａ，２４ｂに挿通されている。
【００３２】
把持部５は、絶縁工具（ヤットコ）７で挟持可能な平板状に形成された平板部５１と、平板部５１の先端に続いて形成され挟持片２ａと接続する挟持片接続部５２と、を有して構成されている。
【００３３】
挟持片接続部５２は、略直方体状に形成され、先端面から内部に向かって一対の挟持片２ａ，２ｂの基端部を収容する穿設孔５３が形成されている。
【００３４】
穿設孔５３は、図３にも示すように、把持部の形状に沿って上端面から基端面に向かって直方体状に形成された上孔５３ａと、上孔５３ａに続いて基端方向に球状に形成された下孔５３ｂと、により構成されている。
【００３５】
上孔５３ａは、絶縁ヤットコ７に把持される側に形成される内周面が長く、絶縁ヤットコ７の把持方向側に形成される内周面が短く、形成されている。
下孔５３ｂの径は、後述する挟持片２ａの先端が挿入された際に摺接可能に、当該先端の径よりも僅かに大きく形成されている。
【００３６】
一方の挟持片２ａと、把持部５とは、高圧線６の配線方向に対して平行となる位置から直交となる位置まで回転自在に自在継手８（ユニバーサルジョイント）により接続されている。
【００３７】
具体的には、把持部５の穿設孔５３の下孔５３ｂに、一方の挟持片２ａの先端に球状に形成された先端接続部２５が挿入されることにより、両者が接続されている。
【００３８】
穿設孔５３には、一対の挟持片２ａ，２ｂの離間距離を相対的に狭めた状態で該一対の挟持片２ａ，２ｂの動きをロックするロック機構９が設けられている。
【００３９】
ロック機構９は、図３に示すように、一対の挟持片２ａ，２ｂの基端部を挟み込むように穿設孔５３に対向配置させた対をなす固定板９１と、一対の挟持片２ａ，２ｂの基端部に形成され、対をなす固定板９１の間に配された対をなす固定部９２ａ，９２ｂとを備えて構成されている。
【００４０】
対をなすそれぞれの固定部９２ａ，９２ｂは、対をなす挟持片２ａ，２ｂ間を通る仮想面に対して対称となる錐台状に形成されている。
【００４１】
具体的には図３（ｂ），（ｃ）に示すように、図１（ａ）のＡ−Ａ切断面（一対の挟持片２ａ，２ｂの延設方向に対して直交する面）が台形状に形成され、一対の挟持片２ａ，２ｂを当接させた状態（台形の下底同士を当接させた状態）で当該切断面が六角形に形成されている。
【００４２】
固定板９１は、上孔５３ａの長手方向の内周壁に沿って平板状に形成されている。
両固定板９１の離接距離は、固定部９２ａの先端部に形成される上底の辺から対抗する固定部９２ｂの上底の辺までの長さと同一に形成されている。
【００４３】
すなわち、把持部５を両固定部９２ａ，９２ｂの先端面の下底の辺同士を当接する状態に回転させたときに（対をなす固定板９１の並設方向と対をなす挟持片２ａ，２ｂの並設方向とが略等しいときに）、対をなす固定板９１により対をなす固定部９２ａ，９２ｂの離間距離を規制し、一対の挟持片２ａ，２ｂの稼働がロックされるように構成されている。
【００４４】
一方で、対をなす固定板９１の並設方向と対をなす挟持片２ａ，２ｂの並設方向とが略直交するときに、対をなす固定板９１による規制が解除される。
【００４５】
ここで、固定部９２ａの先端面の上底から他方の固定部９２ｂの先端面の上底までの長さは、高圧線挟持部３が高圧線６を挟持した際（ロック機構９が一対の挟持片２ａ，２ｂの動きをロックしたとき）に、遊びはあるものの、高圧線挟持部から高圧線６を先端から抜くことができない長さであると共に、高圧線挟持部３の最大の離接距離（高圧線挟持用凹部３ａ，３ｂの最大離接距離）が、高圧線６の芯線の径と同等であるように設定されている。
【００４６】
したがって、ロック機構９は、高圧線６の噛み込み不良が生じている場合には、所定位置に把持部５の回転ができないようにされている。
【００４７】
以上で説明した引下線用コネクタの取付方法について説明する。
まず、引下線保持部４を介して引下線に取り付けると共に、ボルト３２を緩めて穿設孔５３に一対の挟持片２ａ，２ｂの離間距離に対する規制を解除し、ロック機構９のロックを解除した状態で、絶縁ヤットコ７で引下線用コネクタ１を把持し、「の」の字をえがくように高圧線６に巻き付けて、引下線用コネクタ１を高圧線６への接続箇所近傍に配置する。このとき、把持部５が上を向いた状態になっているので、ヤットコの先端部で把持部５が下を向くように引下線用コネクタ１を回転させる。
【００４８】
絶縁ヤットコ７の先端部で把持部５を下に向けた後に、絶縁ヤットコ７にて把持部５を把持しながら、引下線用コネクタ１を高圧線６に対して直交するように配置する。
【００４９】
高圧線挟持部３を高圧線６に押し付けることにより、一対の挟持片２ａ，２ｂの上端部間が開口して、その間に高圧線６が導入し、高圧線挟持部３で高圧線６を挟持する。
【００５０】
絶縁ヤットコ７で把持部５を把持し、把持部５を９０°回転させることにより、穿設孔５３に一対の挟持片２ａ，２ｂの離間距離を相対的に狭めてロック機構９をロックさせてロック機構９をロックさせることにより、高圧線６を高圧線挟持部３に仮止めする。
【００５１】
しかる後に、ラチェット（図示せず）でボルト３２を締め込むことにより、高圧線６を高圧線挟持部３に固定する。
【００５２】
以上述べたように、本発明に係る引下線用コネクタ１によれば、一対の挟持片２ａ，２ｂと、把持部５とは、ロック機構９を有することにより、容易な作業で挟持片２ａ，２ｂをより強固に仮留めをすることができ、高圧線６の噛み込み不良を防止することができる。
【００５３】
また、絶縁ヤットコ７を用いなくてもラチェットによるボルト３２の締め付けを行えるため、間接活線用工具を持ち替えたり、絶縁ヤットコの向きを変更したりすることなく作業を行うことができ、作業の煩雑さが軽減し迅速かつ施工品質の向上を図ることができる。
【００５４】
さらに、充電部のアプローチ回数を減らせるため、危険作業の減少を図ることができる。
【００５５】
なお、上述の説明においては、一方の挟持片２ａの先端に先端接続部２５が形成されるものであったが、他方の挟持片２ｂの先端に先端接続部２５が形成されるものであってもよい。
【００５６】
また、本実施例においては、下孔５３ｂを球状の孔とし、先端接続部２５を球状に形成されるようにしたが、これには限られず、先端接続部２５を円筒状に形成し、下孔５３ｂを先端接続部２５と摺接可能な円筒状の孔に形成してもよい。
【符号の説明】
【００５７】
１  引下線用コネクタ
２ａ  挟持片
２ｂ  挟持片
３  高圧線挟持部
３２  ボルト
３ａ  高圧線挟持用凹部（溝）
４  引下線保持部
５  把持部
５１  平板部
６  高圧線
８  自在継手
９  ロック機構
９１  固定板
９２ａ，９２ｂ  固定部
【図１】
2017028926.tif 000003
【図２】
2017028926.tif 000004
【図３】
2017028926.tif 000005
【図４】
2017028926.tif 000006